(57)【要約】【課題】フィルタの詰まりを簡単な装置によって確認できる小動物飼育装置を提供すること。【解決手段】小動物飼育装置は、動物の飼育用ケージ１６と、ケージ１６内へ空気を送る空気供給管２０と、ケージ１６内の空気を排出する排気管１８と、排気管１８に設けられたフィルタ１９と、を有する。空気供給管２０と排気管１８との間に連通管２が設けられ、連通管２に収容空間部４が形成され、収容空間部４に、空気供給管２０内の圧力と、排気管１８内の圧力と差によって、収容空間部４内を移動し得る移動体６が配設されている。【選択図】  図２
2008029259.tif 000002
【特許請求の範囲】
【請求項１】
動物の飼育用ケージと、該ケージ内へ空気を送る空気供給管と、該ケージ内の空気を排出する排気管と、該排気管に設けられたフィルタと、を有する実験用の小動物飼育装置において、
該空気供給管と排気管との間に連通管が設けられ、該連通管に収容空間部が形成され、該収容空間部に、空気供給管内の圧力と該排気管内の圧力と差によって、収容空間部内を移動し得る移動体が配設されている小動物飼育装置。
【請求項２】
前記収容空間部が鉛直方向に長い筒体であり、前記移動体が中空の球体である請求項１に記載の小動物飼育装置。
【請求項３】
前記連通管の内径に比べて前記収容空間部の内径が大きく形成されている請求項１に記載の小動物飼育装置。
【請求項４】
前記収容空間部が透明な材質にて形成され、移動体の定常状態と異常状態を示す目盛が収容空間部に設けられている請求項１に記載の小動物飼育装置。
【請求項５】
複数の部屋と、該各部屋へ空気を送る空気供給管と、該各部屋内の空気を排出する排気管と、該排気管に設けられたフィルタと、を有する部屋の換気システムであって、
該空気供給管と排気管との間に連通管が設けられ、該連通管に収容空間部が形成され、該収容空間部に、空気供給管内の圧力と該排気管内の圧力と差によって、収容空間部内を移動し得る移動体が配設されている部屋の換気システム。
【請求項６】
前記収容空間部が鉛直方向に長い筒体であり、前記移動体が中空の球体である請求項５に記載の小動物飼育装置。
【請求項７】
前記連通管の内径に比べて前記収容空間部の内径が大きく形成されている請求項５に記載の小動物飼育装置。
【請求項８】
前記収容空間部が透明な材質にて形成され、移動体の定常状態と異常状態を示す目盛が収容空間部に設けられている請求項５に記載の小動物飼育装置。
【請求項９】
前記部屋が、実験動物飼育室である請求項５に記載の室内の換気システム。
【請求項１０】
前記部屋が、小動物の飼育用ケージである請求項５に記載の室内の換気システム。
【発明の詳細な説明】
【技術分野】
【０００１】
本発明は、マウス、ラット等の実験用の小動物飼育装置に関する。
【背景技術】
【０００２】
小動物飼育装置は、アングル材などで構成される直方体形の枠体と、この枠体を上下に複数段に分割する棚枠と、これらの棚枠のそれぞれの上に形成される複数の飼育スペースと、各飼育スペース内に載置される飼育用ケージと、を有している。動物飼育装置には、さらに各飼育用ケージ内へ空気を送る空気供給管と、該ケージ内の空気を排出する排気管とが設けられている。そして、該排気管にはフィルタが設けられている。
【０００３】
このような構成の小動物飼育装置において、排気管に連結された排気装置を作動させると、飼育用ケージ内の空気が排気管内へ吸引され、フィルタによってろ過されると共に、飼育用ケージ内の小動物による汚れた空気が排出される。ケージ内の汚染空気が室内へ洩れないようにするために、通常は、ケージ内を陰圧とされている。
【０００４】
しかし、長期間の使用によって、フィルタに動物の毛や餌くずなどが詰まると、排気管を通してケージ内の空気を十分に吸引できなくなる。そのため、ケージ内の汚染空気が室内へ洩れるおそれがある。また、そのフィルタの詰まりを容易に確認することができない。
【０００５】
そこで、従来では、このような問題を解決するために、圧力計や圧力調整装置などを各ケージに取り付けることも考えられるが、そのようにすると小動物飼育装置の製作コストが高くなるという欠点がある。
【０００６】
このような欠点は、動物の飼育用ケージに限らず、例えば、実験動物飼育室、居室などの部屋においても生じる。
【発明の開示】
【発明が解決しようとする課題】
【０００７】
本発明は、上記の欠点を解消するためになされたものであって、フィルタの詰まりを簡単な装置によって確認できる小動物飼育装置を提供することにある。
【０００８】
本発明の他の目的は、従来の装置に、安価な部品を取り付けることにより、容易にフィルタの詰まりを確認できる小動物飼育装置を提供することにある。
【０００９】
本発明のさらに他の目的は、フィルタの詰まりを簡単な装置によって確認できる部屋の換気システムを提供することにある。
【課題を解決するための手段】
【００１０】
本発明の小動物飼育装置は、小動物の飼育用ケージと、該ケージ内へ空気を送る空気供給管と、該ケージ内の空気を排出する排気管と、該排気管に設けられたフィルタと、を有する実験用の小動物飼育装置において、該空気供給管と排気管との間に連通管が設けられ、該連通管に収容空間部が形成され、該収容空間部に、空気供給管内の圧力と該排気管内の圧力と差によって、収容空間部内を移動し得る移動体が配設されており、そのことにより上記目的が達成される。
【００１１】
一つの実施形態では、前記収容空間部が鉛直方向に長い筒体であり、前記移動体が中空の球体である。
【００１２】
一つの実施形態では、前記連通管の内径に比べて前記収容空間部の内径が大きく形成されている。
【００１３】
一つの実施形態では、前記収容空間部が透明な材質にて形成され、移動体の定常状態と異常状態を示す目盛が収容空間部に設けられている。
【００１４】
本発明の部屋の換気システムは、複数の部屋と、該各部屋へ空気を送る空気供給管と、該各部屋内の空気を排出する排気管と、該排気管に設けられたフィルタと、を有する部屋の換気システムにおいて、該空気供給管と排気管との間に連通管が設けられ、該連通管に収容空間部が形成され、該収容空間部に、空気供給管内の圧力と該排気管内の圧力と差によって、収容空間部内を移動し得る移動体が配設されており、そのことにより上記目的が達成される。
【００１５】
一つの実施形態では、前記収容空間部が鉛直方向に長い筒体であり、前記移動体が中空の球体である。
【００１６】
一つの実施形態では、前記連通管の内径に比べて前記収容空間部の内径が大きく形成されている。
【００１７】
一つの実施形態では、前記収容空間部が透明な材質にて形成され、移動体の定常状態と異常状態を示す目盛が収容空間部に設けられている。
【００１８】
一つの実施形態では、前記部屋が、実験動物飼育室である。
【００１９】
一つの実施形態では、前記部屋が、小動物の飼育用ケージである。
【発明の効果】
【００２０】
空気供給管と排気管との間に連通管が設けられ、該連通管に収容空間部が形成され、該収容空間部に、空気供給管内の圧力と該排気管内の圧力と差によって、収容空間部内を移動し得る移動体が配設されていることにより、排気管のフィルタに動物の毛などが詰まった場合には、移動体が収容空間部内を移動する。そのため、作業者は移動体の移動によってフィルタの詰まりを簡単に見つけを交換することができる。
【発明を実施するための最良の形態】
【００２１】
本発明の実施形態を図面に基づいて説明する。
【００２２】
図１〜図３に示すように、本発明の小動物飼育装置Ａは、アングル材などで構成される直方体形の枠体１０と、この枠体１０を上下に複数段に分割する棚枠１２と、これらの棚枠１２のそれぞれの上部に形成される複数の飼育スペース１４と、各飼育スペース１４内に載置される複数の飼育用ケージ１６と、を有している。
【００２３】
ケージ１６は、透明なプラスチックにて形成される箱状の本体２２と、蓋体２４とを有する。蓋体２４の上面には、飼育用ケージ１６内へ空気を供給するための空気供給管（又はチューブ）２０が接続され、またケージ１６内の空気を外部へ排気するための排気管（又はチューブ）１８が接続されている。
【００２４】
該空気供給管２０および排気管１８のケージ内の開口部にはフィルタ１９、２１がそれぞれ交換可能に取り付けられている。
【００２５】
該排気管１８には、排気装置２６が接続されており、この排気装置２６を作動させると、飼育用ケージ１６内の空気が排気管１８を通して外部へ排出される。また、空気供給管２０には、空気を供給するための供給装置２８が接続されている。
【００２６】
図２に示すように、空気供給管２０と排気管１８との間に連通管２が設けられている。この連通管２の一端部は、空気供給管２０のケージ１６側に接続され、連通管２の他端部は排気管１８のケージ１６側端部に接続されている。
【００２７】
そして、該連通管２のほぼ中央部には、鉛直方向に長い筒体より構成される収容空間部４が形成されている。この収容空間部４の内径は、連通管２のその他の部分の内径に比べて大きく形成されている。この収容空間部４内に、空気供給管２０内の圧力と、該排気管１８内の圧力と差によって、収容空間部４内を上下に移動し得る移動体６が配設されている。
【００２８】
該移動体６としては、圧力の変動によって収容空間部４内を移動できるものであればよく、例えば、中空の球体や、発泡体などで形成することができる。連通管２は、透明なプラスチックなどで形成するのが良い。
【００２９】
排気管１８に取付けられたフィルタ１９が詰まった場合には、ケージ１６内の空気の吸引が不十分となるのでケージ１６内の圧力が設定圧力よりも高くなる。そのような場合には、排気管１８内の圧力が設定圧力よりも低くなるので、収容空間４内に配設された移動体６が排気管１８側へ移動する。よって、作業者はこの移動体６の移動を目視にて確認することで、フィルタ１９の詰まりを知ることができ、フィルタ１９の交換を行うことになる。
【００３０】
収容空間部４には、定常状態と、フィルタ１９の詰り状態を示す目盛や交換時期を示す印などを付けてもよい。
【００３１】
また、図３に示すように、移動体６を支持する支持部８を収容空間部４内に設けてもよい。移動体６を球体で形成する場合には、この支持部８は、移動体６の外径よりやや小さい径の孔部が形成されたプレートにて形成することができる。
【００３２】
なお、上記実施例においては、小動物の飼育用ケージについて説明したが、本発明はこの飼育用ケージに限らず、例えば、実験動物飼育室、脱衣室、処理室、洗浄室、その他一般の居室などの部屋の換気システムにおいても適用できる。
【図面の簡単な説明】
【００３３】
【図１】本発明の小動物飼育装置の概略図であり、連通管は省略している。
【図２】本発明の装置に用いる連通管部分の概略図である。
【図３】本発明の装置に用いる連通管部分の拡大概略図である。
【符号の説明】
【００３４】
２    連通管
４    収容空間部ク
６    移動体
１６  動物の飼育用ケージ
【図１】
2008029259.tif 000003
【図２】
2008029259.tif 000004
【図３】
2008029259.tif 000005